(57)【特許請求の範囲】
【請求項１】
クリップ部の後部側がクリップ支持体側へ押圧されることで同クリップ部の前部側を前記クリップ支持体から離間する方向へ揺動させるようにした開閉操作機能付クリップの支持構造において、
前記クリップ部と前記クリップ支持体との間に中間支持部材を備え、
この中間支持部材が、前記クリップ部に対し乗り越え嵌合して一体化されるとともに、前記クリップ支持体に対し乗り越え嵌合して揺動支点部を構成している開閉操作機能付クリップの支持構造であって、
クリップ部は、金属板材を曲げることで、表面部と両側の側壁部により囲まれるとともにクリップ支持体側を開口した凹状に形成され、
前記中間支持部材は、前記クリップ部の凹状部分の内面に沿って前後方向へわたるとともにクリップ支持体側を開口した凹状に形成され、
前記クリップ支持体は、前記中間支持部材の凹状部分の内部に嵌り合って前後方向へわたる凸状に形成され、
前記中間支持部材の内側の両側面には、前記クリップ支持体の凸状部分を両側から挟むようにして対向する二つの枢支突起が設けられ、
前記クリップ支持体の凸状部分の両側面の各々には、前記各枢支突起を前方から挿入して後方へ導く案内溝が形成され、この案内溝内には、前記各枢支突起を後方へ乗り越え嵌合させる乗越え突起と、該乗越え突起を乗り越えた後の前記枢支突起を回転自在に嵌め合わせる凹部とが形成されていることを特徴とする開閉操作機能付クリップの支持構造。
【請求項２】
前記クリップ部は、前記側壁部におけるクリップ支持体側の端部から内側へ曲がって突出する凸部を有し、
前記中間支持部材は、その外側の両側面の各々に、前記クリップ部の前記凸部を前方へ導く案内溝を有し、この案内溝内には、前記凸部を乗り越え嵌合させる乗越え突起と、該乗越え突起を乗り越えた後の前記凸部を嵌め合わせる凹部とを形成していることを特徴とする請求項１記載の開閉操作機能付クリップの支持構造。
【請求項３】
軸筒と、この軸筒の後端側に位置する複数の押子及び開閉操作機能付クリップとを備え、選択された一つの前記押子または前記開閉操作機能付クリップが軸方向へスライド操作されることで、前記軸筒の先端口から筆記部を出没させるようにした出没式筆記具において、
前記開閉操作機能付クリップは、前記クリップ部と、前記中間支持部材と、前記クリップ支持体と、前記中間支持部材における前記揺動支点部よりも後部側で前記中間支持部材を軸筒遠心方向へ弾発するコイルスプリングとから構成され、
前記クリップ支持体は、前進位置で前記軸筒の係止部に係止され、その係止状態が他の押子との干渉により解除された場合に、軸筒内のコイルスプリングに付勢されて後退位置となることを特徴とする請求項１又は２記載の開閉操作機能付クリップの支持構造を具備した出没式筆記具。
【発明の詳細な説明】
【技術分野】
【０００１】
本発明は、クリップ後部側への押圧操作によりクリップ前端側を開放可能な開閉操作機能付クリップの支持構造及び該支持構造を具備した出没式筆記具に関するものである。
【背景技術】
【０００２】
従来、この種の発明には、例えば特許文献１に記載されたもののように、クリップ（２）を、軸筒（筒体１）外周面の支持台５に対し嵌め合わせることで、前記クリップを揺動させるための揺動支点部を構成するとともに、前記クリップの後端側をコイルスプリングによって後方へ付勢することで、前記クリップを閉鎖状態に維持するようにしたクリップ取り付け装置がある。
【０００３】
しかしながら、前記従来技術では、前記クリップ（２）に対し、前記揺動支点部となる凸部（３ｂ）や、コイルスプリングを受けるための頂片部（２ｂ）等の複雑な構造を有するため、例えばクリップを金属片等の比較的薄肉な材料によって形成するのには不向きな構造であった。
【特許文献１】特開２００６−２８９７２６号公報
【発明の開示】
【発明が解決しようとする課題】
【０００４】
本発明は上記従来事情に鑑みてなされたものであり、その課題とする処は、金属片等の比較的薄肉な材料によってクリップ部を構成できる上、組立性および作動性の良好な開閉操作機能付クリップの支持構造及び該支持構造を具備した出没式筆記具を提供することにある。
【課題を解決するための手段】
【０００５】
上記課題を解決するために本発明に係る技術的手段は、クリップ部の後部側がクリップ支持体側へ押圧されることで同クリップ部の前部側を前記クリップ支持体から離間する方向へ揺動させるようにした開閉操作機能付クリップの支持構造において、前記クリップ部と前記クリップ支持体との間に中間支持部材を備え、この中間支持部材は、前記クリップ部に対し乗り越え嵌合して一体化されるとともに、前記クリップ支持体に対し乗り越え嵌合して揺動支点部を構成していることを特徴とする。
【０００６】
更なる技術的手段では、前記クリップ部には、前記中間支持部材を挟むようにして対向する凸部が設けられ、前記中間支持部材には、前記各凸部を後方または前方へ導く案内溝が設けられ、この案内溝内には、前記各凸部を乗り越え嵌合させる乗越え突起と、該乗越え突起を乗り越えた後の前記各凸部を嵌め合わせる凹部とが形成されていることを特徴とする。
【０００７】
更なる技術的手段では、前記中間支持部材をクリップ前後方向へわたる凹状に形成するとともに、前記クリップ支持体を前記中間支持部材に嵌り合う凸状に形成し、前記中間支持部材の凹状部分の内側面と前記クリップ支持体の凸状部分の側面とを、前記乗越え嵌合により凹凸状に嵌め合わせて、前記揺動支点部を構成していることを特徴とする。
【０００８】
更なる技術的手段では、前記中間支持部材における前記凹状部分の内側の両側面に、それぞれ前記揺動支点部となる枢支突起を設け、前記クリップ支持体における前記凸状部分には、前記各枢支突起を後方または前方へ導く案内溝が設けられ、この案内溝内には、前記各枢支突起を乗り越え嵌合させる乗越え突起と、該乗越え突起を乗り越えた後の前記枢支突起を嵌め合わせる凹部とが形成されていることを特徴とする。
【０００９】
更なる技術的手段では、前記中間支持部材における前記揺動支点部よりも後方側に、前記中間支持部材を弾発するようにコイルスプリングが装着され、前記クリップ支持体において前記コイルスプリングを装着するためのスプリング装着部は、前記コイルスプリングを挿入可能な凹状であって、且つ、その凹状部分の内側面に、コイルスプリングの外周面を露出させる切欠部を有することを特徴とする。
【発明の効果】
【００１０】
本発明は、以上説明したように構成されているので、以下に記載されるような作用効果を奏する。
クリップ部と中間支持部材とを乗り越え嵌合により一体化し、更に中間支持部とクリップ支持体とを乗り越え嵌合することで、揺動支点部が構成される。
したがって、クリップ部が例えば金属材料等の比較的薄肉な材料であったとしても、組立性および作動性の良好な開閉操作機能付クリップの支持構造を提供することができる。
【発明を実施するための最良の形態】
【００１１】
以下、本発明の実施の形態を図面に基づいて説明する。
図１は、本発明に係わる開閉操作機能付クリップの支持構造の一例を具備した出没式筆記具Ａを示している。
この出没式筆記具Ａは、先端口１１からボールペン用リフィール２１の筆記部２１ａやシャープペンシル用リフィール２２の筆記部２２ａを出没させる軸筒１０と、この軸筒１０の後端側に位置する複数の押子３０及び開閉操作機能付クリップ４０とを備え、クリップ部４１の後部側がクリップ支持体４３側へ押圧された際に、同クリップ部４１の前部側を前記クリップ支持体４３から離間する方向へ揺動させる。
【００１２】
また、この出没式筆記具Ａは、選択された一つの押子３０または開閉操作機能付クリップ４０が軸方向へスライド操作されることで、ボールペン用リフィール２１又はシャープペンシル用リフィール２２を、前進位置と後退位置との間で移動させる。
なお、前進位置とは、押子３０又は開閉操作機能付クリップ４０が、軸方向への前進スライドにより筆記部２１ａ（又は２２ａ）を先端口１１から突出させて、軸筒１０内に係止された状態である。後退位置とは、押子３０又は開閉操作機能付クリップ４０が、軸方向への後退スライドにより筆記部２１ａ（又は２２ａ）を先端口１１内へ没入させて静止した状態である。
【００１３】
軸筒１０は、当該出没式筆記具Ａの略全長にわたる長尺筒状の部材であり、前端側を先細状に形成するとともにその最前端部に筆記部２１ａ（又は２２ａ）を出没させる先端口１１を有する。また、この軸筒１０の後端側周壁には、押子３０及び開閉操作機能付クリップ４０を軸方向へ案内する案内孔１２，１３を複数形成している。この軸筒１０は、一体の筒状部材から構成してもよいし、複数の筒状部材を連結した構成であってもよい。
【００１４】
図示例によれば、前記案内孔１２は、ボールペン用リフィール２１に対応する押子３０を進退可能に係合させるための孔であり、案内孔１３は開閉操作機能付クリップ４０を進退可能に係合させるための孔である。これら案内孔１２，１３の各々は、軸方向へ延びる平面視略長尺矩形状に形成されている。
【００１５】
また、軸筒１０の内周面には、案内孔１２又は１３の近傍に位置して、押子３０、又は開閉操作機能付クリップ４０のクリップ支持体４３を係合させるための係止部１４が形成されている。
各係止部１４は、押子３０又は開閉操作機能付クリップ４０が前進位置にて軸筒軸心方向へ沈み込んだ際、この押子３０又はクリップ支持体４３の後端部を係止させるように、軸筒１０の内周面に段部状に形成されている。この係止部１４は、案内孔１２又は１３を間に挟むようにして対向して配設されている。
【００１６】
また、軸筒１０の外周面には、クリップ部４１の玉部４１ａに対し後方側から近接又は接触するようにして、抜止突起１５が形成されている。
この抜止突起１５は、軸筒１０外周面とクリップ部４１との間に、紙や衣類等の被挟持物が挟まれた際に、その被挟持物を撓ませるようにして該被挟持物に圧接され、その被挟持物が容易に引き抜けてしまうようなことを防止する。
【００１７】
また、ボールペン用リフィール２１は、インクを充填したインクタンク２１ｂと、該インクタンク２１ｂの前端部に接続された筆記部２１ａ（ボールペンチップ）とを備え、筆記部２１ａ内の転写ボールの転動によりインクタンク２１ｂ内のインクを吐出するように構成してある。
なお、図示を省略しているが、このボールペン用リフィール２１は、例えば黒色や赤色、青色等、異なるインク色のものが複数用いられる。そして、これら複数のボールペン用リフィール２１は、軸筒１０後端側に断面放射状に配設される。
【００１８】
また、シャープペンシル用リフィール２２は、その前端部に筆記部２２ａを備え、後端部を、開閉操作機能付クリップ４０のクリップ支持体４３に接続している。このシャープペンシル用リフィール２２は、開閉操作機能付クリップ４０が前進位置にてノック操作された際に、筆記部２１ａから鉛芯を繰り出すように構成してある。
【００１９】
また、各ボールペン用リフィール２１の後端に接続された押子３０は、軸筒１０に対し進退可能に設けられる押子本体３１と、該押子本体３１に対し部分的に嵌合されるとともに筆記部２１ａの筆記色に対応する色を有する色識別部３２とからなる。なお、この押子３０の他例としては、前記筆記色に対応する色の一体の部材であってもよい。
【００２０】
押子本体３１は、案内孔１２に係合して進退し、前進位置で軸筒求心方向へ沈み込んで、軸筒１０内周面における案内孔１２両側の係止部１４，１４に係止され、その係止状態が他の押子３０との干渉により解除されるように形成される。
【００２１】
また、開閉操作機能付クリップ４０は、前端側の玉部４１ａを軸筒１０外周面に対し接近離間させるようにして揺動するクリップ部４１と、該クリップ部４１に対し一体的に固定された中間支持部材４２と、クリップ部４１及び中間支持部材４２を揺動自在に支持するクリップ支持体４３と、クリップ部４１及び中間支持部材４２の揺動支点部よりも後部側に位置するコイルスプリング４４とを具備している。
【００２２】
クリップ部４１は、比較的薄肉の金属板材をプレス加工することで、表面部とその周囲の薄肉壁とにより囲まれた略凹状に形成され、本実施の形態によれば、前記金属板材の一例として、肉厚０．４ｍｍ程度の鋼材が用いられている。
このクリップ部４１の前端側には、軸筒１０へ向かって突出する玉部４１ａを備え、また、同クリップ部４１の後端側には、後述する中間支持部材４２を挟むようにして対向する複数の凸部４１ｂ（図２参照）が設けられる。
【００２３】
玉部４１ａは、より詳細に説明すれば、原材料の薄肉金属板材をプレス加工する際に、前端部と幅方向の両側とを軸筒１０側へ折り曲げて曲面状に形成された突起である。
この玉部４１ａは、軸筒１０における抜止突起１５に対し前方側から近接または接触するように配置され、上述したように被挟持物の引き抜けを防ぐ。
【００２４】
また、クリップ部４１の各凸部４１ｂは、クリップ部４１の側壁部における軸筒１０側の端部から内側へ曲げられて突出している（図２（ｂ）参照）。
この凸部４１ｂの突端には、後述する中間支持部材４２への乗り越え嵌合を容易にするための傾斜面４１ｂ１が設けられている。この傾斜面４１ｂ１は、詳細に説明すれば、凸部４１ｂ突端における前端側をＣ面取り状に形成してなる。
【００２５】
前記構成の凸部４１ｂは、後述する中間支持部材４２を挟むように対向して二つ設けられ、更に、この二つの凸部４１ｂが前後方向へ間隔を置いて二組設けられる。すなわち、凸部４１ｂの総数は４つである。
【００２６】
また、中間支持部材４２は、前記クリップ部４１に対し乗り越え嵌合して一体化されるとともに、後述するクリップ支持体４３に対し乗り越え嵌合して揺動支点部を構成する。
詳細に説明すれば、この中間支持部材４２は、クリップ前後方向へわたる凹状に形成され、その外側の両側面の各々に、クリップ部４１の凸部４１ｂを前方へ導く案内溝４２ａを有する。そして、この案内溝４２ａ内には、前記各凸部４１ｂを乗り越え嵌合させる乗越え突起４２ａ１と、該乗越え突起４２ａ１を乗り越えた後の前記各凸部４１ｂを嵌め合わせる凹部４２ａ２とを形成している。
【００２７】
案内溝４２ａは、クリップ部４１の各凸部４１ｂに対応するように、計４つ設けられ、後方側から凸部４１ｂを挿入させるように、クリップ部４１長手方向へわたって設けられる（図２（ａ）参照）。
【００２８】
案内溝４２ａ内の乗越え突起４２ａ１は、クリップ部４１の凸部４１ｂを容易に乗り越えさせるように、後端側に傾斜面４２ａ１１を有する。
また、凹部４２ａ２は、案内溝４２ａ内における乗越え突起４２ａ１よりも前側において、乗越え突起４２ａ１を乗り越えた後の凸部４１ｂを嵌め合わせるように配設される。
【００２９】
また、中間支持部材４２の内側の両側面には、揺動支点部となる二つの枢支突起４２ｂ，４２ｂが設けられている。
これら二つの枢支突起４２ｂ，４２ｂは、後述するクリップ支持体４３の凸状部分を挟むようにして対向して配設されている。
各枢支突起４２ｂは、断面略円形状を呈し、その突端側における後端側に傾斜面４２ｂ１を有し、この傾斜面４２ｂ１によって、クリップ支持体４３への乗り越え嵌合を容易にしている。
【００３０】
また、クリップ支持体４３における軸筒１０外に露出する部分は、前記中間支持部材４２に嵌り合う凸状に形成される。そして、このクリップ支持体４３における軸筒１０内に位置する部分は、上記押子３０の押子本体３１と略同様に、案内孔１２に係合して進退し、前進位置で軸筒求心方向へ沈み込んで、軸筒１０内周面の係止部１４に係止され、その係止状態が他の押子３０との干渉により解除されるように形成される。
【００３１】
クリップ支持体４３の前記凸状部分の両側面には、前記各枢支突起４２ｂを後方へ導くための案内溝４３ａ，４３ａが形成されている（図３参照）。
そして、各案内溝４３ａ内には、前記各枢支突起４２ｂを乗り越え嵌合させる乗越え突起４３ａ１と、該乗越え突起４３ａ１を乗り越えた後の前記枢支突起４２ｂを嵌め合わせる凹部４３ａ２とが形成されている（図４参照）。
各乗越え突起４３ａ１は、その前端側に、枢支突起４２ｂの乗り越え嵌合を容易にする傾斜面４３ａ１１を有する。
各凹部４３ａ２は、各枢支突起４２ｂを回転自在に嵌め合わせる。
【００３２】
また、クリップ支持体４３における前記案内溝４３ａよりも後方側には、コイルスプリング４４を装着するためのスプリング装着部４３ｂが形成されている。
このスプリング装着部４３ｂは、コイルスプリング４４を、軸筒１０に対し略直交させて遊嵌可能な凹状、又は組立時に抜け落ちない程度に嵌合する凹状であって、且つその凹状部分の内側面に、コイルスプリング４４の外周面を露出させる切欠部４３ｂ１，４３ｂ１を有する。
【００３３】
前記切欠部４３ｂ１は、コイルスプリング４４とスプリング装着部４３ｂ内面との摩擦抵抗を軽減して、コイルスプリング４４の伸縮性を良好にするものであり、図示例によれば、クリップ支持体４３の両側面側に二つ設けられるが、他例としては単数もしくは３以上設けることも可能である。
【００３４】
なお、図中符号５１は押子３０又は開閉操作機能付クリップ４０を後方へ付勢するコイルスプリング、符号５２はボールペン用リフィール２１及びシャープペンシル用リフィール２２を貫挿させて支持する貫挿支持部材である。
また、図中符号５３は、軸筒１０に対し着脱可能に具備された尾栓である。
【００３５】
次に、上記出没式筆記具Ａの開閉操作機能付クリップの支持構造について、その組み立て手順を詳細に説明する。
先ず、図２に示すように、クリップ部４１に対し中間支持部材４２が乗り越え嵌合して一体化される。より詳細に説明すれば、中間支持部材４２の各案内溝４２ａに対し、クリップ部４１の各凸部４１ｂが嵌め合わせられ、この際、クリップ部４１の凸部４１ｂが、中間支持部材４２の案内溝４２ａ内の乗越え突起４２ａ１を乗り越えて、同案内溝４２ａ内の凹部４２ａ２に嵌め合わせられる。
なお、前記組立作業は、固定されたクリップ部４１に対し中間支持部材４２を嵌め合わせるようにして行ってもよいし、逆に、固定された中間支持部材４２に対しクリップ部４１を嵌め合わせるようにして行ってもよい。
【００３６】
前記組立作業により、クリップ部４１の各凸部４１ｂが中間支持部材４２の各凹部４２ａ２に嵌合して、クリップ部４１と中間支持部材４２とが一体化される。すなわち、中間支持部材４２に対しクリップ部４１が不動の状態となる。
【００３７】
次に、図３に示すように、クリップ支持体４３のスプリング装着部４３ｂに対しコイルスプリング４４が挿入され、このコイルスプリング４４を圧縮するようにして、クリップ支持体４３の凸状部分に、クリップ部４１と一体化した中間支持部材４２が被せられる。この際、中間支持部材４２の枢支突起４２ｂが、クリップ支持体４３の案内溝４３ａに対し前方から挿入される。
【００３８】
枢支突起４２ｂは、乗越え突起４３ａ１を乗り越えて凹部４３ａ２に嵌り合う。この乗り越え嵌合は、クリップ支持体４３の両側面側のそれぞれについて行われる。したがって、図４に示すように、クリップ支持体４３両側面の凹部４３ａ２，４３ａ２に対し、中間支持部材４２の両枢支突起４２ｂ，４２ｂが嵌り合った状態となる。
【００３９】
前記嵌合状態においては、コイルスプリング４４の付勢力により、開閉操作機能付クリップ４０における揺動支点部（具体的には枢支突起４２ｂ）よりも後方側の部分が、軸筒１０から離間する方向へ弾発される。そのため、クリップ部４１は、前端側の玉部４１ａを軸筒１０外周面に近接または接触させる。
【００４０】
また、クリップ部４１における前記揺動支点部よりも後方側の部分が、軸筒１０側へ押圧された際には、クリップ部４１及び中間支持部材４２が前記揺動支点部を中心にして揺動し、クリップ部４１の玉部４１ａと軸筒１０外周面との間が開放する。そして、前記押圧力が解除された際には、クリップ部４１及び中間支持部材４２が逆方向へ揺動して元の状態に復帰する。
【００４１】
また、開閉操作機能付クリップ４０全体を外力によって前進させた際には、シャープペンシル用リフィール２２の筆記部２２ａが先端口１１から突出するとともに、この突出状態が、クリップ支持体４３の後端部と係止部１４との係止によって維持される。この係止状態を解除する際には、ボールペン用リフィール２１に対応する押子３０を前進操作させれば、この押子３０によってクリップ支持体４３が押圧され、クリップ支持体４３が係止部１４から外れるとともにコイルスプリング５１の付勢力により後退する。
【００４２】
なお、上記組み立て手順によれば、先ずクリップ部４１と中間支持部材４２とを一体化し、次に中間支持部材４２をクリップ支持体４３に嵌め合わせるようにしたが、組み立て手順の他例としては、先ずクリップ支持体４３に対し中間支持部材４２を嵌め合わせ、この中間支持部材４２に対しクリップ部４１を嵌め合わせるようにすることも可能である。
【００４３】
また、上記実施の形態によれば、クリップ支持体４３を押子３０同様にスライド操作される部材としたが、他例としては、クリップ支持体が軸筒１０外周面に固定された態様（図示せず）とすることも可能である。
より詳細に説明すれば、この態様では、軸筒１０の外周面に凸状部分を設けるとともに、この凸状部分に、上記案内溝４３ａ（詳細には乗越え突起４３ａ１及び凹部４３ａ２）と、スプリング装着部４３ｂとを設けて、クリップ部４１及び中間支持部材４２を乗り越え嵌合すればよい。
【００４４】
また、上記実施の形態によれば、クリップ部４１に相対する中間支持部材４２の後方への移動により、これらクリップ部４１と中間支持部材４２とを乗り越え嵌合させるようにしているが、他例としては、クリップ部４１に相対する中間支持部材４２の前方への移動によってこれらを乗り越え嵌合させる構成や、クリップ部４１に対して交差方向（図２における上下方向）へ中間支持部材４２を移動させて乗り越え嵌合させる構成等とすることも可能である。
【００４５】
同様に、上記実施の形態によれば、クリップ支持体４３に相対するクリップ部４１の後方への移動により、これらクリップ支持体４３とクリップ部４１とを乗り越え嵌合させるようにしているが、他例としては、クリップ支持体４３に相対するクリップ部４１の前方への移動によってこれらを乗り越え嵌合させる構成や、クリップ支持体４３に対して交差方向（図３における上下方向）へ中間支持部材４２を移動させて乗り越え嵌合させる構成等とすることも可能である。
【００４６】
また、上記実施の形態によれば、クリップ部４１の凸部４１ｂを中間支持部材４２の凹部４２ａ２に嵌め合わせる構造としたが、他例としては、その凹凸関係を逆にすることも可能である。
同様に、上記実施の形態によれば、中間支持部材４２の枢支突起４２ｂをクリップ支持体４３の凹部４３ａ２に嵌め合わせる構造としたが、他例としては、その凹凸関係を逆にすることも可能である。
【００４７】
また、上記実施の形態によれば、クリップ部４１及び中間支持部材４２を閉方向へ付勢する構成として、コイルスプリング４４の弾発力を利用したが、他例としては、コイルスプリング４４を上記揺動支点部よりも前側に配置し、このコイルスプリング４４の引張力によりクリップ部４１及び中間支持部材４２を閉方向へ付勢する構成とすることも可能である。
更に他例としては、上記コイルスプリング４４に置換して板バネを用いた構成とすることも可能である。
【００４８】
また、他の好ましい実施の形態として、上記中間支持部材４２を図５及び以下に説明する中間支持部材４２’に置換した態様について説明する。なお、後述する中間支持部材４２’において上記中間支持部材４２と略同様に作用する部分については同一の符号を付けることで重複する詳細説明を省略する。
【００４９】
中間支持部材４２’は、上記中間支持部材４２における前後二つの案内溝４２ａ，４２ａを連続した形状の案内溝４２ａ’としている。
すなわち、案内溝４２ａ’は、中間支持部材４２’の後部側から前部側へ連続する単一の溝であり、クリップ部４１の前後の凸部４１ｂ，４１ｂを相対的に前方へ導く。
この案内溝４２ａ’内には、クリップ部４１の前後の凸部４１ｂ，４１ｂを乗り越え嵌合させる二つの乗り越え突起４２ａ１，４２ａ１と、これら乗り越え突起４２ａ１，４２ａ１を乗り越えた後の前記二つの凸部４１ｂ，４１ｂを嵌め合わせる二つの凹部４２ａ２，４２ａ２を有する。
【００５０】
前記構成の案内溝４２ａ’によれば、図５に示すように、中間支持部材４２’に対し、その後部側からクリップ部４１が直線的に嵌め合わせられる。
【００５１】
また、中間支持部材４２’は、金属製のクリップ部４１が軸筒求心方向へ押圧され軸筒１０外周面に当接して、軸筒１０の外周面を傷つけるのを防ぐように形成されている。
詳細に説明すれば、中間支持部材４２’の前側と後側の各々にはクリップ幅方向へ突出する鍔部４２ｃ’が設けられ、更に、中間支持部材４２の前端側には軸筒１０外周面に向かうように凸部４２ｄ’が突設される。
【００５２】
鍔部４２ｃ’は、シャープペンシル用リフィール２２の筆記部２２ａが突出した状態で、開閉操作機能付クリップ４０が芯出しのためのノック操作により軸筒求心方向へ沈み込んだ際に、このクリップ部４１に代わって、軸筒１０外周面に当接するように設けられる。
【００５３】
また、凸部４２ｄ’は、シャープペンシル用リフィール２２の筆記部２２ａが突出した状態で、開閉操作機能付クリップ４０が把持される等して、開閉操作機能付クリップ４０の前端側が軸筒求心方向へ押圧された際に、クリップ４１に代わってクリップ支持体４３外面に当接することで、クリップ４１と軸筒１０の間に隙間を確保し、金属製のクリップ４１が軸筒１０外周面を傷つけるのを防ぐ。
【００５４】
また、符号４２ｅ’は、クリップ部４１内面側（図５によれば上方）へ向かって突出するとともに前後方向へわたる補強リブである。符号４２ｆ’は、クリップ部４１との対向面の前端側において幅方向（図５によれば前後方向）へ突出する補強リブである。符号４２ｇ’は、クリップ部４１との対向面の後端側において幅方向（図５によれば前後方向）へ突出する補強リブである。これらの補強リブは、開閉操作機能付クリップ４０が開閉操作される際等に、中間支持部材４２’が変形や破損等するようなことを防いでいる。
【００５５】
而して、出没式筆記具Ａにおいて中間支持部材４２を前記中間支持部材４２’に置換した構成（図５参照）によれば、クリップ部４１と中間支持部材４２との組付性を向上できる上、軸筒１０の外周面が金属製のクリップ部４１により傷つけられるようなことを防ぐことができ、強度的にも良好である。
【図面の簡単な説明】
【００５６】
【図１】本発明に係わる開閉操作機能付クリップの支持構造を具備した出没式筆記具の一例を示す断面図である。
【図２】クリップ部と中間支持部材との嵌め合い構造を説明する図であり、（ａ）はクリップ部を側面方向から視た図であり、（ｂ）は（ａ）における（Ｘ）−（Ｘ）線断面図である。
【図３】中間支持部材とクリップ支持体との嵌め合い構造を示す図であり、（ａ）はクリップ支持体に対し中間支持部材が嵌り合う前の状態であり、中間支持部材の要部を断面で示し、（ｂ）はクリップ支持体に対し中間支持部材が嵌りあった状態であり、クリップ部及び中間支持部材を二点鎖線で示している。
【図４】クリップ支持体に対しクリップ部及び中間支持部材が嵌りあった状態を示す要部断面図である。
【図５】中間支持部材の他例において、クリップ部との嵌め合い構造を説明する図であり、（ａ）はクリップ部を側面方向から視た図であり、（ｂ）は（ａ）における（ＸＩ）−（ＸＩ）線断面図である。
【符号の説明】
【００５７】
４１：クリップ部                  ４１ｂ：凸部
４２，４２’：中間支持部材        ４２ａ，４２ａ’：案内溝
４２ａ１：乗越え突起            ４２ａ２：凹部
４３：クリップ支持体              ４３ａ：案内溝
４３ａ１：乗越え突起            ４３ａ２：凹部
４４：コイルスプリング                Ａ：出没式筆記具
【図１】
0005243002.tif 000002
【図２】
0005243002.tif 000003
【図３】
0005243002.tif 000004
【図４】
0005243002.tif 000005
【図５】
0005243002.tif 000006